(57)【要約】【課題】コンパクトな構造であるとともに、複数の吸収性物品が折り畳まれた状態で袋詰めされた場合であっても、個々の吸収性物品を良好に取り出すことが可能な吸収性物品を提供する。【解決手段】吸収体２２と、表シート５８と、裏シート６０と、裏シート６０の吸収体２２に対向する面とは反対側の面に配置されたズレ止め手段３８と、を備え、裏シート６０は、不織布からなる裏面不織布６１と、裏面不織布６１の外面側に配置された、上記ズレ止め手段３８と係合しない素材からなる裏面樹脂シート６２とが積層されたものであり、且つ、吸収体２２を包囲するように表シート５８と裏シート６０とが相互に貼り合わされた側縁フラップ５０が、吸収体２２の側縁５６より幅方向外側で表シート５８側に折り返されて折り返し部５４が形成され、折り返し部５１が表シート５８の表面に固定されている吸収性物品１Ａ。【選択図】図１Ａ
2011056162.tif 000002
【特許請求の範囲】
【請求項１】
吸収体と、少なくとも一部が液透過性材料からなり、前記吸収体の表面を被覆するように配置された表シートと、前記吸収体の裏面側に配置された裏シートと、前記裏シートの前記吸収体に対向する面とは反対側の面に配置されたメカニカルファスナーからなるズレ止め手段と、を備え、
前記裏シートは、前記吸収体の裏面を被覆するように配置された、不織布からなる裏面不織布と、前記裏面不織布の外面側に配置された、前記ズレ止め手段と係合しない裏面樹脂シートと、が積層された積層シートであり、
前記裏面樹脂シートは、前記吸収体よりも幅広に構成されるとともに、前記裏面不織布は、前記裏面樹脂シートよりも幅広に構成され、且つ、
前記表シートと前記裏シートとが、前記吸収体を包囲するように相互に貼り合わされたフラップが形成され、前記フラップのうち前記吸収体の側縁より幅方向外側に位置する側縁フラップが、前記吸収体の側縁より幅方向外側で前記表シート側に折り返されて折り返し部が形成され、前記折り返し部が前記表シートの表面に固定されている吸収性物品。
【請求項２】
前記側縁フラップが前記吸収体の側縁に沿って折り返されて前記折り返し部が形成されている請求項１に記載の吸収性物品。
【請求項３】
前記吸収体には、前身頃相当部及び後身頃相当部の少なくとも一方に、股下部相当部の側縁より幅方向外側に延出された耳部が形成され、
前記側縁フラップのうち、前記吸収体の前記股下部相当部の側縁より幅方向外側で、かつ、前記吸収体の耳部の側縁より幅方向内側の部分に、前記吸収体の前後方向に向かって伸張状態で固定された股下部伸縮材が付設されている請求項１又は２に記載の吸収性物品。
【請求項４】
前記裏面樹脂シートは、前記メカニカルファスナーとの係合力が０．２Ｎ／２５ｍｍ以下のシートである請求項１〜３のいずれか一項に記載の吸収性物品。
【請求項５】
撥水性シートからなり、前記吸収体の両側に配置された少なくとも一対の立体ギャザーを更に備え、
前記立体ギャザーは高さ方向に折り畳み可能な折り畳みギャザーであり、
前記側縁フラップには、前身頃相当部及び後身頃相当部に、股下部相当部の側縁より幅方向外側に延出された耳部が形成され、
前記側縁フラップのうち前記吸収体の側縁より幅方向外側に位置する部分が、前記吸収体の側縁より幅方向外側で前記表シート側に折り返されて前記折り返し部が形成され、
前記折り返し部のうち前記耳部に相当する部分が前記折り畳みギャザーの端部を上部から押さえ込むように前記折り畳みギャザーの上部に積層されるとともに、前記表シートの表面に固定されている請求項１〜４のいずれか一項に記載の吸収性物品。
【請求項６】
請求項１〜５のいずれか一項に記載の吸収性物品の複数個と、前記複数個の吸収性物品を包装する包装袋と、を備え、
前記吸収性物品は、前記表シートの少なくとも一部が内側となり、前記裏シートの前記裏面樹脂シートが外側に露出するように二つ折り以上に折り曲げられてなり、前記複数個の吸収性物品は、相互に重なり合うように積層された状態で前記包装袋の内部に収納されている吸収性物品包装体。
【発明の詳細な説明】
【技術分野】
【０００１】
本発明は、吸収性物品、及び吸収性物品包装体に関する。更に詳しくは、吸収体の両面に配置されたシート材同士を相互に貼り合わせたフラップが、吸収体の側縁より外側に張り出さず、コンパクトな構造であるとともに、複数の吸収性物品が折り畳まれた状態で袋詰めされた場合であっても、個々の吸収性物品を良好に取り出すことが可能な吸収性物品、及びこのような吸収性物品の複数個が包装袋に収納された吸収性物品包装体に関する。
【背景技術】
【０００２】
近年、おむつを交換する際の労力を軽減するため、使い捨ておむつと、尿パッド（「インナーパッド」、「補助パッド」等とも称される）を併用する方法が採用されている。例えば、使い捨ておむつのトップシート側の面に尿パッドを平敷きし、尿パッドが積層された状態の使い捨ておむつを着用者の肌に宛がう方法で使用される。このような方法によれば、着用者の排泄時に尿パッドのみを交換し、使い捨ておむつはそのまま使用することができる。従って、着用者の排泄の度に使い捨ておむつ全体を交換する方法と比較して交換作業が容易となり、介護者の労力が軽減される。
【０００３】
ところで、前記のような尿パッドは、吸収体、液透過性材料からなるトップシート、液不透過性材料からなるバックシート等を備え、吸収体を包囲するように、トップシート、バックシート等のシート材同士を相互に貼り合わせたフラップが形成されている。このフラップによって吸収体がトップシートとバックシートの層間に固定され、また、吸収体に保持された排泄物の漏洩が防止される。
【０００４】
フラップは吸収体の固定、排泄物の漏洩防止の観点から、通常、５〜５０ｍｍの幅で吸収体を包囲するように形成されている。しかし、このようなフラップの形成は吸収性能を発揮しない付属的な部分によって尿パッド全体のサイズを必要以上に大きくしてしまうことに繋がる。従って、コンパクトな構造であることが求められる尿パッドにおいては好ましい構造とはいえない。また、フラップはシート材同士を貼り合わせて形成するため、触感が硬くなり易い。従って、フラップが尿パッドの両側縁側に張り出していると、着用者の内腿に当たって痛みを感ずる等、着用感の点からも問題を生ずるおそれがある。
【０００５】
このような問題を解決するために、吸収体を包囲するようにトップシート、バックシート等のシート材同士を貼り合わせるのではなく、吸収体、トップシート及びバックシートの積層体を、これらの側縁側から別シートで包み込むように構成した尿取りパッドが提案されている（特許文献１及び２参照）。
【０００６】
また、例えば、下着の内面や使い捨ておむつのトップシートの表面に吸収性物品を固定し、使用時における位置ズレを防止するための位置ズレ防止手段を備えた吸収性物品も提案されている。
【先行技術文献】
【特許文献】
【０００７】
【特許文献１】特許第３５９５４７１号公報
【特許文献２】特開２００６−１６７１９７号公報
【発明の概要】
【発明が解決しようとする課題】
【０００８】
特許文献１に記載の尿取りパッドは側縁にフラップが形成されていないため、着用感の問題は生じ難く、また、コンパクトな構造の吸収性物品を実現することができる可能性がある。しかしながら、特許文献１に記載の尿取りパッドは、製造に際し別シートを供給するための供給装置が必要となる等、従前の製造設備を大幅に改造しなければ製造することができないという課題があった。また、吸収体、トップシート及びバックシートの積層体を側縁側から別シートで包み込み、更に接合するという煩瑣な工程を含むため、高度な製造技術が必要とされる点でも課題が残されていた。
【０００９】
また、このような吸収性物品は、通常、二つ折り等によって折り畳まれた状態で集積され、包装袋に収納されて市販されている。特許文献２に記載の吸収性物品のように、通常、吸収性物品の裏面側に配置されるシートは不織布等によって構成されており、その裏面側に位置ズレを防止するための係合手段が配置されている場合には、包装袋に収納された場合に、隣接して集積された吸収性物品同士が、係合手段を介して結合され、吸収性物品を１つずつ取り出すことが困難になるという問題があった。このため、忙しい介護の中において、吸収性物品の包装袋からの取り出しが極めて煩わしい作業となったり、麻痺等によって手や指の動きが制限されてしまう着用者にとっては、包装袋から吸収性物品を取り出す作業が極めて困難な作業となることがある。
【００１０】
また、上記した位置ズレ手段として粘着剤等が使用される場合もあるが、位置ズレ手段の表面に剥離紙等の保護シートを配設する必要があり、使用時において保護シートがゴミとして発生してしまう。また、吸収性物品を使用する度に保護シートを位置ズレ手段から引き剥がさなければならず、介護負担の増大させたり、麻痺等によって手や指の動きが制限されてしまう着用者にとっては極めて困難な作業となることがある。
【００１１】
本発明は、このような従来技術の有する課題を解決するためになされたものであり、フラップが吸収体の側縁より外側に大きく張り出さないコンパクトな構造であるとともに、複数の吸収性物品が折り畳まれた状態で袋詰めされた場合であっても、個々の吸収性物品を良好に取り出すことが可能な吸収性物品、及び吸収性物品包装体を提供するものである。
【課題を解決するための手段】
【００１２】
本発明者は、前記従来技術の課題を解決するために鋭意検討した結果、フラップのうち吸収体側縁からはみ出した部分を折り返し、吸収体の表面に配置されたシート等に固定し、且つ、吸収性物品の裏面側には、メカニカルファスナーと係合しない素材の樹脂シートを配置し、その樹脂シートの表面にメカニカルファスナーからなる位置ズレ防止手段を配設することで、上記課題が解決されることに想到し、本発明を完成させた。具体的には、本発明により、以下の吸収性物品、及び吸収性物品包装体が提供される。
【００１３】
［１］  吸収体と、少なくとも一部が液透過性材料からなり、前記吸収体の表面を被覆するように配置された表シートと、前記吸収体の裏面側に配置された裏シートと、前記裏シートの前記吸収体に対向する面とは反対側の面に配置されたメカニカルファスナーからなるズレ止め手段と、を備え、前記裏シートは、前記吸収体の裏面を被覆するように配置された、不織布からなる裏面不織布と、前記裏面不織布の外面側に配置された、前記ズレ止め手段と係合しない裏面樹脂シートと、が積層された積層シートであり、前記裏面樹脂シートは、前記吸収体よりも幅広に構成されるとともに、前記裏面不織布は、前記裏面樹脂シートよりも幅広に構成され、且つ、前記表シートと前記裏シートとが、前記吸収体を包囲するように相互に貼り合わされたフラップが形成され、前記フラップのうち前記吸収体の側縁より幅方向外側に位置する側縁フラップが、前記吸収体の側縁より幅方向外側で前記表シート側に折り返されて折り返し部が形成され、前記折り返し部が前記表シートの表面に固定されている吸収性物品。
【００１４】
［２］  前記側縁フラップが前記吸収体の側縁に沿って折り返されて前記折り返し部が形成されている前記［１］に記載の吸収性物品。
【００１５】
［３］  前記吸収体には、前身頃相当部及び後身頃相当部の少なくとも一方に、股下部相当部の側縁より幅方向外側に延出された耳部が形成され、前記側縁フラップのうち、前記吸収体の前記股下部相当部の側縁より幅方向外側で、かつ、前記吸収体の耳部の側縁より幅方向内側の部分に、前記吸収体の前後方向に向かって伸張状態で固定された股下部伸縮材が付設されている前記［１］又は［２］に記載の吸収性物品。
【００１６】
［４］  前記裏面樹脂シートは、前記メカニカルファスナーとの係合力が０．２Ｎ／２５ｍｍ以下のシートである前記［１］〜［３］のいずれかに記載の吸収性物品。
【００１７】
［５］  撥水性シートからなり、前記吸収体の両側に配置された少なくとも一対の立体ギャザーを更に備え、前記立体ギャザーは高さ方向に折り畳み可能な折り畳みギャザーであり、前記側縁フラップには、前身頃相当部及び後身頃相当部に、股下部相当部の側縁より幅方向外側に延出された耳部が形成され、前記側縁フラップのうち前記吸収体の側縁より幅方向外側に位置する部分が、前記吸収体の側縁より幅方向外側で前記表シート側に折り返されて前記折り返し部が形成され、前記折り返し部のうち前記耳部に相当する部分が前記折り畳みギャザーの端部を上部から押さえ込むように前記折り畳みギャザーの上部に積層されるとともに、前記表シートの表面に固定されている前記［１］〜［４］のいずれかに記載の吸収性物品。
【００１８】
［６］  前記［１］〜［５］のいずれかに記載の吸収性物品の複数個と、前記複数個の吸収性物品を包装する包装袋と、を備え、前記吸収性物品は、前記表シートの少なくとも一部が内側となり、前記裏シートの前記裏面樹脂シートが外側に露出するように二つ折り以上に折り曲げられてなり、前記複数個の吸収性物品は、相互に重なり合うように積層された状態で前記包装袋の内部に収納されている吸収性物品包装体。
【発明の効果】
【００１９】
本発明の吸収性物品は、フラップが吸収体の側縁より外側に大きく張り出さないコンパクトな構造であるとともに、複数の吸収性物品が折り畳まれた状態で袋詰めされた場合であっても、個々の吸収性物品を良好に取り出すことできる。また、本発明の吸収性物品包装体は、上述した本発明の吸収性物品の複数個が包装袋に収納されたものであり、包装袋からの吸収性物品の取り出しが極めて便利である。
【図面の簡単な説明】
【００２０】
【図１Ａ】本発明の吸収性物品の一の実施形態を模式的に示す表面図である。
【図１Ｂ】図１Ａに示す吸収性物品のＡ−Ａ’断面を模式的に示す断面図である。
【図１Ｃ】図１Ａに示す吸収性物品の裏シート側の面を模式的に示す裏面図である。
【図２Ａ】本発明の吸収性物品の別の実施形態を模式的に示す表面図である。
【図２Ｂ】図２Ａに示す吸収性物品のＡ−Ａ’断面を模式的に示す断面図である。
【図２Ｃ】図２Ａに示す吸収性物品のＢ−Ｂ’断面を模式的に示す断面図である。
【図２Ｄ】図２Ａに示す吸収性物品の裏シート側の面を模式的に示す裏面図である。
【図３Ａ】本発明の吸収性物品の更に別の実施形態を模式的に示す表面図である。
【図３Ｂ】図３Ａに示す吸収性物品のＡ−Ａ’断面を模式的に示す断面図である。
【図３Ｃ】図３Ａに示す吸収性物品のＢ−Ｂ’断面を模式的に示す断面図である。
【図４Ａ】図１Ａに示す吸収性物品の中間製品を模式的に示す表面図である。
【図４Ｂ】図４Ａに示す中間製品のＡ−Ａ’断面を模式的に示す断面図である。
【図５Ａ】本発明の吸収性物品包装体の一の実施形態を模式的に示す斜視図である。
【図５Ｂ】図５Ａの吸収性物品包装体から、吸収性物品を取り出す状態を示す斜視図である。
【発明を実施するための形態】
【００２１】
以下、本発明の吸収性物品を実施するための形態について具体的に説明する。但し、本発明はその発明特定事項を備える吸収性物品を広く包含するものであり、以下の実施形態に限定されるものではない。
【００２２】
［１］本発明の吸収性物品の特徴：
本発明の吸収性物品は、図１Ａ〜図１Ｃに示す吸収性物品１Ａのように、吸収体２２と、少なくとも一部が液透過性材料からなり、吸収体２２の表面を被覆するように配置された表シート５８と、吸収体２２の裏面側に配置された裏シート６０と、裏シート６０の吸収体２２に対向する面とは反対側の面に配置されたメカニカルファスナー３９からなるズレ止め手段３８と、を備えた吸収性物品１Ａである。
【００２３】
そして、上記裏シート６０は、吸収体２２の裏面を被覆するように配置された、不織布からなる裏面不織布６１と、裏面不織布６１の外面側に配置された、上記ズレ止め手段３８と係合しない素材からなる裏面樹脂シート６２と、が積層された積層シートであり、裏面樹脂シート６２は、吸収体２２よりも幅広に構成されるとともに、裏面不織布６１は、裏面樹脂シート６２よりも幅広に構成されている。
【００２４】
更に、本発明の吸収性物品１Ａにおいては、表シート５８と裏シート６０とが、吸収体２２を包囲するように相互に貼り合わされたフラップ５０，５２が形成され、フラップ５０，５２のうち吸収体２２の側縁５６より幅方向外側に位置する側縁フラップ５０が、吸収体２２の側縁５６より幅方向外側で表シート５８側に折り返されて折り返し部５４が形成され、折り返し部５４が表シート５８の表面に固定されているものである。
【００２５】
ここで、図１Ａは、本発明の吸収性物品の一の実施形態を模式的に示す表面図であり、図１Ｂは、図１Ａに示す吸収性物品のＡ−Ａ’断面を模式的に示す断面図であり、図１Ｃは、図１Ａに示す吸収性物品の裏シート側の面を模式的に示す裏面図である。
【００２６】
本発明の吸収性物品は、図１Ａ〜図１Ｃに示す吸収性物品１Ａのように、吸収体２２と、吸収体２２の表面を被覆するように配置された表シート５８と、吸収体２２の裏面を被覆するように配置された裏シート６０とを備えるが、使い捨ておむつとは異なり、着用者の腰周りを被包する部分を持たず、「尿パッド」として好適に用いることができる。「尿パッド」はインナーパッド、補助パッドとも称され、下着の内面や使い捨ておむつのトップシートの表面に載置した状態で用いることが一般的である。
【００２７】
本発明の吸収性物品は、図１Ａ〜図１Ｃに示す吸収性物品１Ａのように、メカニカルファスナー３９からなるズレ止め手段３８を備えているため、下着の内面や使い捨ておむつのトップシートの表面に載置した際に、このズレ止め手段３８を下着や使い捨ておむつ等に係合させることができる。これにより、下着の内面や使い捨ておむつのトップシートの表面に載置した吸収性物品がずれ難く、吸収性物品を安心して使用することができる。
【００２８】
また、本発明の吸収性物品においては、ズレ止め手段としてメカニカルファスナーを使用することにより、例えば、粘着剤等によってズレ止め手段を形成した場合と比較して、ズレ止め手段を保護する保護シート（剥離紙）等を必要とせず、簡便に吸収性物品を用いることができる。また、保護シート等のゴミの発生も抑制することができる。
【００２９】
また、この吸収性物品１Ａは、フラップの吸収体２２の側縁５６から張り出した部分（側縁フラップ５０）を折り返して固定している（折り返し部５４）。従って、フラップが形成されていてもコンパクトな構造を実現することができる。上述したように尿パッドとして吸収性物品を用いる場合には、前記のようなコンパクトな構造により、使い捨ておむつのトップシート側の面、より具体的には一対の立体ギャザーの間に尿パッドを収め易くなる。従って、尿パッドを確実に固定することができ、また、快適な装着感を得ることができる。
【００３０】
また、本発明の吸収性物品は特許文献１に記載の尿取りパッドのように吸収体、トップシート及びバックシートを側縁側から包み込む別シートを使用しない。従って、製造に際し当該別シートの供給装置は不要であり、従前の製造設備を大幅に改造することなく製造することが可能である。
【００３１】
また、本発明の吸収性物品は、図１Ａ〜図１Ｃに示す吸収性物品１Ａのように、表シート５８と裏シート６０（より具体的には、裏面不織布６１）を貼り合わせてフラップ５０，５２を形成するという従来公知の製法により、吸収体２２を表シート５８と裏シート６０の層間に封入している。従って、特許文献１に記載の尿取りパッドのように、吸収体、トップシート及びバックシートの積層体を側縁側から別シートで包み込み、更に接合するといった煩瑣な工程を含まず、既存の製造技術で容易に製造することができる。
【００３２】
更に、上述したように、裏シート６０が、不織布からなる裏面不織布６１と、上記ズレ止め手段３８と係合しない素材からなる裏面樹脂シート６２と、が積層された積層シートであり、裏面樹脂シート６２は、吸収体２２よりも幅広に構成されるとともに、裏面不織布６１は、裏面樹脂シート６２よりも幅広に構成されるため、例えば、複数個の吸収性物品を二つ折りに折り畳んで包装袋に収納した場合に、隣接する吸収性物品同士が相互に係合することなく、包装袋から吸収性物品を１つずつ良好に取り出すことができる。
【００３３】
即ち、通常、吸収性物品は、二つ折り等によって折り畳まれた状態で集積され、包装袋に収納されて市販されている。従来の吸収性物品においては、包装袋から取り出す際に、隣接して集積された吸収性物品と擦れながら引き出されることとなり、隣接する吸収性物品同士が相互に係合してしまう。特に、吸収性物品を圧縮して収納（包装）した圧縮パックにおいては顕著である。本発明の吸収性物品は、例えば、表シート側を内側にして二つ折りに折り畳んだ場合等に、ズレ止め手段と係合しない素材からなる裏面樹脂シートが表側に配置されるため、収納された包装袋等から取り出す際に、隣接して集積された吸収性物品同士がズレ止め手段を介して結合せず、吸収性物品を１つずつ良好に取り出すことができる。このため、介護者における介護負担を軽減することができ、また、麻痺等によって手や指の動きが制限されてしまう着用者であっても、吸収性物品を包装袋から簡単に取り出すことができる。
【００３４】
［２］本発明の吸収性物品の構成：
本発明の吸収性物品においては、図１Ａ〜図１Ｃに示す吸収性物品１Ａのように、吸収体２２を包囲するように、吸収体２２の表面側に配置される表シート５８と吸収体２２の裏面側に配置される裏シート６０とが相互に貼り合わされたフラップ５０，５２が形成されている。
【００３５】
［２−１］フラップ：
「フラップ」とは、吸収体が配置されていない、シート材同士の貼り合わせ部分を意味する。図１Ａ〜図１Ｃに示す吸収性物品１Ａのように、フラップ５０，５２は表シート５８と裏シート６０によって構成される。
【００３６】
「表シート」とは、吸収体の表面側に配置されるシートを包括する概念である。具体的には、図１Ａ〜図１Ｃに示すように吸収体２２の表面を被覆するように配置されるトップシート１８は勿論のこと、撥水性材料からなりトップシート１８の側縁に継ぎ合わされるサイドシート１９等も含まれる。
【００３７】
「裏シート」とは、吸収体の裏面側に配置されるシートを包括する概念である。具体的には、図１Ａ〜図１Ｃに示すように吸収体２２の裏面を被覆するように配置される裏面不織布６１と、裏面不織布６１の外面（即ち、吸収体に背向する面）側に配置された、上記ズレ止め手段３８と係合しない素材からなる裏面樹脂シート６２との二枚のシートが少なくとも積層された、積層シートによって構成されている。
【００３８】
本発明の吸収性物品においては、図１Ａ〜図１Ｃに示す吸収性物品１Ａのように、上記フラップ５０，５２を形成するために、吸収体２２の裏面には、まず、不織布からなる裏面不織布６１が配置され、更に、この裏面不織布６１の外側に、ズレ止め手段３８と係合しない素材からなる裏面樹脂シート６２が配置された積層シートによって裏シート６０が形成されている。これにより、フラップ５０，５２の着用者の肌と接する部分に裏面不織布６１が配置されることとなり、良好な装着感を得ることができる。また、このような裏シートを用いてフラップを形成することによって、本発明の吸収性物品を、使い捨ておむつ等における尿パッドとして用いる場合、使い捨ておむつの内側面との抵抗が少なく滑りやすいため、尿パッド（吸収性物品）の交換の際に、使い捨ておむつから尿パッドを引き出し易くなる。
【００３９】
本発明の吸収性物品において、貼り合わせる表シートと裏シートは、表シートと裏面不織布とであることが好ましい。なお、表シートについては、トップシート、サイドシート等の吸収体の表面側に配置されるシートであればよい。なお、貼り合わせの方法について特に制限はなく、ホットメルト接着剤等の接着剤を用いた接着等により行うことができる。
【００４０】
本発明の吸収性物品においては、図１Ａ〜図１Ｃに示すようにフラップ５０，５２が吸収体２２を包囲するように形成されている。即ち、表シート５８と裏シート６０は吸収体２２の周縁において相互に貼り合わされてフラップ５０，５２を形成している。吸収体２２を包囲するようにフラップ５０，５２を形成することで、吸収体２２は表シート５８と裏シート６０の層間に封入される。
【００４１】
前記のようにフラップは、吸収体を包囲するように形成されるため、本発明の吸収性物品においては、図１Ａ及び図１Ｃに示すように吸収体２２の側縁５６より幅方向外側に位置する側縁フラップ５０と、吸収体２２の前後の端縁６３より前後方向外側の部分に位置する端縁フラップ５２とが形成される。
【００４２】
吸収性物品全体のサイズによっても異なるが、吸収体の固定、排泄物の漏洩防止の観点から、側縁フラップは幅５〜５０ｍｍの範囲内で、端縁フラップは幅５〜５０ｍｍの範囲内で形成することが好ましい。
【００４３】
また、本発明の吸収性物品は、図１Ａ〜図１Ｃに示すようにフラップ５０，５２のうち吸収体２２の側縁５６より幅方向外側に位置する側縁フラップ５０が、吸収体２２の側縁５６より幅方向外側で表シート５８側に折り返されて折り返し部５４が形成され、折り返し部５４が表シート５８の表面に固定されている。
【００４４】
側縁フラップを折り返して固定するのは、フラップが張り出していることに伴う不具合は着用者の両内腿に当たる部分である吸収性物品の側縁側においてより顕著に発生するからである。但し、側縁フラップと同様に端縁フラップを折り返して固定してもよい。これにより吸収性物品の前後の端縁側においてもコンパクト化の効果を得ることができる。
【００４５】
なお、側縁フラップの折り返しは吸収性物品のサイズをコンパクト化する効果（吸収性物品の幅の縮小）の他、吸収性物品の吸収性を向上させる効果を得ることもできる。即ち、従来フラップが存在していた位置にも吸収体を配置することができるため、吸収性物品全体の幅を維持したまま従来に比して幅広な吸収体を配置することも可能となる。従って、吸収性物品の実質的な吸収能力の向上に資する。
【００４６】
本発明の吸収性物品は、図１Ａ及び図１Ｃに示すように側縁フラップ５０が吸収体２２の側縁５６より幅方向外側で折り返されて折り返し部５４が形成されている。即ち、吸収体の部分は折り返さず、フラップの部分のみで折り返し部を構成する。吸収体を折り返した場合、折り返し部分の厚さが厚くなってしまい、着用感が低下するという不具合を生ずるおそれがあるからである。一方、折り返し幅が小さすぎるとコンパクト化の効果を得難くなるため、側縁フラップの全幅の５０〜１００％幅の部分を折り返して折り返し部を形成することが好ましく、図１Ａ及び図１Ｃに示すように側縁フラップ５０を吸収体２２の側縁５６に沿って折り返して折り返し部５４を形成することが更に好ましい。なお、吸収体が後述する耳部を有する場合には、側縁フラップを吸収体の耳部の側縁に沿って折り返して折り返し部を形成することが更に好ましい。
【００４７】
本発明の吸収性物品は、側縁フラップが表シート側の方向に折り返されて折り返し部が形成される。表シート側に折り返された側縁フラップの折り返し部は、表シートの表面に固定される。
【００４８】
例えば、図１Ａ〜図１Ｃに示す吸収性物品１Ａは、表シート５８であるトップシート１８、サイドシート１９と、裏シート６０である裏面不織布６１とが貼り合わされてフラップ５０，５２が形成されたものである。トップシート１８とサイドシート１９は接着剤層６４により、トップシート１８と裏面不織布６１は接着剤層６６により、サイドシート１９と裏面不織布６１は接着剤層６８により、各々貼り合わされている。そして、側縁フラップ５０により形成される折り返し部５４は接着剤層７０により、表シート５８である立体ギャザー２６の表面に固定されている。なお、立体ギャザー２６も吸収体２２の表面側に配置されるシート状部材であるため表シート５８の範疇に含まれる。また、吸収性物品１Ａにおいてはサイドシート１９と立体ギャザー２６が一連の撥水性シートにより一体的に構成されている。
【００４９】
なお、この吸収性物品１Ａにおいて、もう一方の裏シート６０である裏面樹脂シート６２は、吸収体２２よりも幅広に構成されているため、少なくとも吸収体２２の裏面から染み出した尿を、吸収性物品の外部に漏洩してしまうことを防止することができる。なお、裏面樹脂シート６２は、吸収体２２の裏面側をカバーし、更に、折り返したフラップの一部を構成し、吸収体２２の側面もカバーできるような大きさ（幅）であることが好ましい。なお、裏面樹脂シート６２は、吸収体２２の表面（上面）側にまで配置されていてもよいが、このような場合には、裏面樹脂シート６２が着用者の肌と接触する面積が多くなり、着用者によってはスキントラブル等を生じる場合がある。
【００５０】
折り返し部５４と表シート５８との固定方法は特に限定されない。例えば、前記のような接着剤による接着の他、超音波や加熱による融着等を挙げることができる。また、折り返し部を確実に固定可能である限り、折り返し部の表面と表シートの表面とが全面的に貼り合わされている必要はない。例えば、折り返し部の縁部のみを線状に固定してもよいし、折り返し部全体を散点的に固定してもよい。
【００５１】
［２−２］ズレ止め手段：
本発明の吸収性物品は、裏シートの吸収体に対向する面とは反対側の面に、下着の内面や使い捨ておむつのトップシートの表面に載置した際の位置ズレを防止するための、メカニカルファスナーからなるズレ止め手段を備えている。
【００５２】
このズレ止め手段を構成するメカニカルファスナーは、裏シートを構成する裏面樹脂シート上に配置されており、吸収性物品が折り畳まれた集積された場合であっても、係合手段を介して吸収性物品同士が結合することがない。また、仮に、吸収性物品を裏シート側が内側になるように、例えば、二つ折り等によって折り畳んでしまったとしても、裏面同士側が係合してしまうことがなく、極めて使用し易いものである。
【００５３】
「メカニカルファスナー（面状ファスナーとも称される）」とは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このメカニカルファスナーは、ループ材の表面にフック材を重ね合わせ、フック材の多数の突起をループ材の表面に係合させることにより、両部材を取外し可能な状態に、且つ、強固に固着させることができるものである。なお、本発明の吸収性物品においては、下着の内面や使い捨ておむつのトップシートの表面が、上記メカニカルファスナーの凹部材（ループ材）となるため、ズレ止め手段（係合手段）を構成するメカニカルファスナーとしては、凸部材（フック材）が用いられることとなる。
【００５４】
なお、ズレ止め手段は、裏シートの裏面樹脂シート上に配置されていれば、その配置位置、及び大きさについては特に制限はないが、例えば、吸収性物品の長手方向の両端縁部近傍にそれぞれ少なくとも１箇所ずつ配置されていることが好ましい。このように構成することによって、下着内面や使い捨ておむつのトップシートの表面に固定されるので、吸収性物品が折れたり捲れたりせずに、吸収性物品を適正に開いた状態を保持しやすく、また使い捨ておむつ内でも吸収性物品が所定の位置からずれることなく使用することができるようになる。
【００５５】
［２−３］裏シート：
本発明の吸収性物品を構成する裏シートは、裏面不織布と裏面樹脂シートとによって構成されている。
【００５６】
［２−３ａ］裏面不織布：
裏面不織布は、吸収体の裏面を被覆するように配置されており、表シートと裏シートとが貼り合わされたフラップの一部を構成するシートである。このため、裏面不織布は、吸収体よりも幅広に構成され、更に、裏面樹脂シートよりも幅広に構成されている。
【００５７】
このような裏面不織布としては、例えば、エアスルー（カード熱風）、カードエンボス等の製法によって製造された不織布を好適に用いることができる。
【００５８】
［２−３ｂ］裏面樹脂シート：
裏面樹脂シートは、裏面不織布の外面側に配置された、ズレ止め手段と係合しないシートである。この裏面樹脂シートは、吸収体よりも幅広に構成されており、吸収体で吸収された尿の漏れを防止するという観点から、少なくとも吸収体の存在する部分に配置されていることが好ましい。
【００５９】
なお、「ズレ止め手段と係合しない」とは、裏面樹脂シートにズレ止め手段を構成するメカニカルファスナー（より具体的には、メカニカルファスナーの凸部材（フック材））を押し付けた場合に、フック材の多数の突起が裏面樹脂シートに対してほとんど係合せずに、メカニカルファスナーのフック材によって、本来発現されるべき係合力が得られないことをいう。即ち、「ズレ止め手段と係合しない」とは、メカニカルファスナーのフック材と全く係合しないものだけでなく、例えば、メカニカルファスナーのフック材に対応するように形成されたループ材、或いは、メカニカルファスナーのフック材に対する凹部材として当業者が一般的に使用している部材と比較して、上記フック材との係合力が大きく低下するものについても、上記「ズレ止め手段と係合しない」ものに含まれるものとする。
【００６０】
より具体的には、本発明において、上記「ズレ止め手段と係合しない」とした場合は、ズレ止め手段を構成するメカニカルファスナーに対する係合力が、０．２Ｎ／２５ｍｍ以下のことをいう。
【００６１】
なお、ズレ止め手段と係合しない裏面樹脂シートとしては、その表面が平坦であり、ズレ止め手段を構成するメカニカルファスナーを押し付けた場合に、フック材の多数の突起が裏面樹脂シートに対してほとんど係合せず、係合力が実質的に得られないようなシートであることが好ましい。
【００６２】
このような裏面樹脂シートは、ズレ止め手段を構成するメカニカルファスナーとの係合力が、０．２Ｎ／２５ｍｍ以下のシートであることが好ましく、０．１Ｎ／２５ｍｍ以下のシートであることが更に好ましい。このように構成することによって、例えば、複数の吸収性物品が包装袋に収納された包装体から、特定の吸収性物品を取り出す際に、仮に僅かな係合力（上記範囲の係合力）が生じていたとしても、他の吸収性物品との間に生じる抵抗力（摩擦力）に比して係合力が小さくなり、容易にメカニカルファスナーとの係合が解除される。
【００６３】
なお、裏面樹脂シートと、ズレ止め手段を構成するメカニカルファスナーとの係合力は、例えば以下の方法によって測定することができる。まず、裏面樹脂シートを固定された板等の表面に両面テープで貼り付けて固定し、この裏面樹脂シートに２５ｍｍ×２５ｍｍの大きさに切断したフック材を配設して、フック材と裏面樹脂シートを互いに係合させる。次に、配設したフック材の裏面側から、２ｋｇのローラーを一往復させ、その後、係合したフック材と裏面樹脂シートとに、そのせん断方向（１８０°方向）に１ｋｇの荷重を２秒間かける。このような状態のフック材を、引っ張り試験機で３００ｍｍ／ｍｉｎの条件で引っ張り、その平均荷重を測定することにより、裏面樹脂シートとフック材の係合力（Ｎ／２５ｍｍ）を測定することが出来る。
【００６４】
このようなズレ止め手段と係合しない裏面樹脂シートとしては、例えば、裏面樹脂シートは、ポリエチレン、ポリプロピレン等の熱可塑性樹脂からなるフィルムを挙げることができ、中でも、着用者のムレが軽減できるという観点から、通気性のポリエチレンフィルムを好適例として挙げることができる。
【００６５】
［２−４］股下部伸縮材：
本発明の吸収性物品は、図２Ａ〜図２Ｄに示す吸収性物品１Ｂのように、吸収体２２の前身頃相当部７２及び後身頃相当部７６の少なくとも一方に、股下部相当部７４の側縁７８より幅方向外側に延出された耳部８０が形成され、側縁フラップ５０のうち、吸収体２２の股下部相当部７４の側縁７８より幅方向外側で、かつ、吸収体２２の耳部８０の側縁８２より幅方向内側の部分に、吸収体２２の前後方向に向かって伸張状態で固定された股下部伸縮材４０が付設されていることが好ましい。
【００６６】
前記のような構造とすると、股下部伸縮材によって吸収性物品の股下部相当部が前後方向に収縮し、股下部相当部をコンパクトな構造とすることができる。従って、吸収性物品が尿パッドである場合に、使い捨ておむつの幅狭く形成された股下部にも確実に収めることができる。
【００６７】
ここで、図２Ａは、本発明の吸収性物品の別の実施形態を模式的に示す表面図であり、図２Ｂは、図２Ａに示す吸収性物品のＡ−Ａ’断面を模式的に示す断面図であり、図２Ｃは、図２Ａに示す吸収性物品のＢ−Ｂ’断面を模式的に示す断面図である。また、図２Ｄは、図２Ａに示す吸収性物品の裏シート側の面を模式的に示す裏面図である。なお、図２Ａ〜図２Ｄにおいては、図１Ａ〜図１Ｃに示す吸収性物品１Ａの各要素と同様に構成されているものについては、同一の符号を付して説明を省略する。
【００６８】
本明細書においては、図２Ｄに示すように吸収性物品１Ａのうち着用者の腹側に宛がわれる部分を「前身頃（図中、符号２）」、着用者の股下に宛がわれる部分を「股下部（図中、符号４）」、着用者の背側（尻側）に宛がわれる部分を「後身頃（図中、符号６）」と称する。これに従い、「前身頃相当部（図中、符号７２）」は吸収体２２のうち吸収性物品１Ｂの前身頃２に配置される部分、「股下部相当部（図中、符号７４）」は吸収体２２のうち吸収性物品１Ｂの股下部４に配置される部分、「後身頃相当部（図中、符号７６）」は吸収体２２のうち吸収性物品１Ｂの後身頃６に配置される部分を意味するものとする。前身頃相当部は吸収体の前端部、股下部相当部は吸収体の前後方向中央部、後身頃相当部は吸収体の後端部に配置される。
【００６９】
「耳部」とは、幅方向に張り出した部分を意味する。吸収体の場合、股下部相当部を最も幅狭く構成することが望ましいため、耳部は前身頃相当部及び後身頃相当部の少なくとも一方に形成されることが多い。図２Ｄに示す吸収性物品１Ｂは吸収体２２の前身頃相当部７２と後身頃相当部７６の双方に耳部８０を形成した例である。但し、「少なくとも一方」であるから、前身頃相当部と後身頃相当部のいずれか一方にのみ耳部が形成されたものも本発明の範囲に含まれる。
【００７０】
図２Ｄに示すように股下部伸縮材４０は、側縁フラップ５０のうち吸収体２２の股下部相当部７４の側縁７８より幅方向外側で、かつ、吸収体２２の耳部８０の側縁８２より幅方向内側の部分（即ち、股下部相当部７４の幅と耳部８０の幅とのギャップ部分）に付設することが好ましい。この部分は吸収体が配置されていないため、伸縮材の付設によりフラップを十分に収縮させることができる。
【００７１】
吸収体の耳部は、尿がまわりこみやすい背側部分や腹側部分の吸収体面積を大きくし、尿漏れを有効に防止するという理由により、股下部相当部の側縁から幅方向外側に２０〜６０ｍｍ張り出していることが好ましい。なお、２０ｍｍ未満であると、製造上、耳部側縁と股下部側縁との間の領域に股下部伸縮材を配置し固定することが難しい場合がある。一方、６０ｍｍを超えると耳の幅が広くなりすぎて使い捨ておむつ内にうまく収まることができなくなるという不具合を生ずるおそれがある。
【００７２】
図２Ｄに示すように股下部伸縮材４０は吸収体２２の前後方向に向かって伸張状態で固定されていることが好ましい。図示の例では、左右各２本の股下部伸縮材４０が吸収体２２の前後方向に向かって直線的に固定されている。股下部伸縮材を固定する際の伸長率は特に限定されないが、１２０〜４００％の伸長率で固定することが好ましい。
【００７３】
［２−５］折り畳みギャザー：
本発明の吸収性物品は、図３Ａ〜図３Ｃに示す吸収性物品１Ｃのように、撥水性シートからなり、吸収体２２の両側に配置された少なくとも一対の立体ギャザー２６を更に備え、その立体ギャザー２６が高さ方向に折り畳み可能な折り畳みギャザーであり、側縁フラップ５０には、前身頃相当部８４及び後身頃相当部８８に、股下部相当部８６の側縁９０より幅方向外側に延出された耳部９２が形成され、側縁フラップ５０のうち吸収体２２の側縁より幅方向外側に位置する部分が、吸収体２２の側縁より幅方向外側で表シート５８側に折り返されて折り返し部５４が形成され、折り返し部５４のうち耳部９２に相当する部分が折り畳みギャザーの端部を上部から押さえ込むように折り畳みギャザーの上部に積層されるとともに、表シート５８の表面に固定されていることが好ましい。
【００７４】
ここで、図３Ａは、本発明の吸収性物品の更に別の実施形態を模式的に示す表面図であり、図３Ｂは、図３Ａに示す吸収性物品のＡ−Ａ’断面を模式的に示す断面図であり、図３Ｃは、図３Ａに示す吸収性物品のＢ−Ｂ’断面を模式的に示す断面図である。なお、図３Ａ〜図３Ｃにおいては、図１Ａ〜図１Ｃに示す吸収性物品１Ａの各要素と同様に構成されているものについては、同一の符号を付して説明を省略する。
【００７５】
「折り畳みギャザー」とは高さ方向に１回ないし複数回折り畳まれ、蛇腹のように折り畳み部位が高さ方向に伸展するように構成された立体ギャザーである。このようなギャザーは股下部において立体ギャザーが伸展し、ギャザー高さを確保できるため、着用者の股下部にギャザー先端を密着させ易く、横漏れを効果的に防止することができる。しかし、前後の端部において、１）接着剤塗工、２）折り畳み、３）貼り合わせの３工程を折り畳みの回数分繰り返して製造する必要があり、製造することが困難であった。また、複数の接着剤塗工部が積層された構造となるために着用感も悪化するおそれがあった。
【００７６】
これに対し、図３Ａ〜図３Ｃに示す構造は側縁フラップ５０の耳部９２によって折り畳みギャザー全体を上部から固定するので、折り畳み部位毎に、上述した３工程を繰り返す必要がなく、容易に製造することができる。また、図３Ｃに示すように股下部相当部８６においては側縁フラップ５０の耳部９２が幅方向中央側に張り出していないため、股下部４における折り畳みギャザーの起立が阻害されることもない。
【００７７】
折り畳みギャザーの構造は、例えば、Ｖ折り（１回折り）、Ｚ折り（２回折り）、Ｍ折り（３回折り）、ジグザグ折り（３回以上の多段折り）等の従来公知の構造を採用することができる。ギャザー高さは吸収性物品のサイズによっても異なるが、折り畳み部位を完全に伸展させた場合の高さが１０〜８０ｍｍであることが好ましい。
【００７８】
折り畳みギャザーはその端部を側縁フラップの耳部によって上部から押さえ込まれる。「側縁フラップの耳部」とは、図３Ａに示すように側縁フラップ５０のうち股下部相当部８６の側縁９０より幅方向外側に延出された部分であり（耳部９２）、前身頃相当部８４及び後身頃相当部８８に形成されていることが好ましく、中でも側縁フラップ５０の前端及び後端に沿って延出されるように形成されていることが更に好ましい。
【００７９】
耳部９２は、折り畳みギャザーを確実に押さえ込むという観点から、側縁フラップ５０股下部相当部８６の側縁から２０〜１００ｍｍ張り出していることが好ましい。また、耳部の前後方向の長さは２０〜８０ｍｍであることが好ましい。
【００８０】
折り畳みギャザーの固定は、図３Ｂに示すように側縁フラップ５０の折り返し部５４のうち耳部９２に相当する部分を表シート５８の表面に対して固定することにより行う。図示の例では、耳部９２はヒートシール部９４によって表シート５８である立体ギャザー２６及びトップシート１８の表面に対して熱融着されている。
【００８１】
なお、図３Ａ〜図３Ｃに示す吸収性物品１Ｃの裏シート側の面は、図２Ｄに示す吸収性物品１Ｂと同一の図となるため捨象した。具体的には、図３Ａ〜図３Ｃに示す吸収性物品１Ｃにおいても、図２Ｄに示す吸収性物品１Ｂと同様に、吸収体２２の前身頃相当部及び後身頃相当部に耳部が形成されており、側縁フラップ５０のうち、吸収体２２の股下部相当部の側縁より幅方向外側で、かつ、吸収体２２の耳部の側縁より幅方向内側の部分に、吸収体２２の前後方向に向かって伸張状態で固定された股下部伸縮材４０が付設されている。
【００８２】
［３］吸収性物品の構成部材：
本発明の吸収性物品は、図１Ａ〜図１Ｃに示す吸収性物品１Ａのように、吸収体２２、表シート５８、裏シート６０、及びズレ止め手段３８を必須構成部材として備えており、必要に応じて立体ギャザー２６等の構成部材を備えていてもよい。以下、上述した裏シートやズレ止め手段等以外の、本発明の吸収性物品の構成要素について説明する。
【００８３】
［３−１］吸収体：
「吸収体」は、着用者の尿等を吸収し、保持するための部材であり、吸収性材料によって構成される。通常、吸収体は表シート（例えば、トップシート）と裏シート（例えば、裏面不織布）の間に挟み込まれ、両シートと一体化された状態で用いられる。
【００８４】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００８５】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００８６】
［３−２］表シート：
表シートは、少なくとも一部が液透過性材料からなり、吸収体の表面を被覆するように配置されたシートである。このような表シートは、例えば、公知の使い捨ておむつに用いられるトップシートやサイドシートによって構成することができる。
【００８７】
［３−２ａ］トップシート：
トップシート（「センターシート」と称される場合もある）は、吸収体の表面（装着時において着用者の肌側に位置する面）を被覆するように配置されるシートである。トップシートは、着用者の尿等を透過させる必要から、その少なくとも一部（全部又は一部）が液透過性材料により構成される。
【００８８】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００８９】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００９０】
トップシートは、「少なくとも一部」、具体的には、トップシートを平面的に見た場合に、少なくとも吸収体の表面近傍は液透過性材料により構成されていることが好ましい。
【００９１】
［３−２ｂ］サイドシート：
サイドシートは、撥水性材料からなり、トップシートの側縁に継ぎ合わされるように配置されるシートである。一般に、サイドシートは後述する立体ギャザーの幅方向外側に配置され、液透過性を必要としないため、サラッとした快適な装着感を得ることができ、かつ、汗等により湿潤されてベタつくことがない撥水性材料により構成される。
【００９２】
撥水性材料としては、通気性が高く、液の透過に対して抵抗を示す材料が好ましい。カードエンボス、スパンボンド等の製法により製造された不織布であってもよいが、防水性の高いＳＭＳ、ＳＭＭＳ等の不織布シートが更に好ましい。
【００９３】
サイドシートは同じく撥水性材料から構成される立体ギャザーと一体的に構成されることが多い。図１Ａ及び図１Ｂに示す吸収性物品１Ａは、サイドシート１９と立体ギャザー２６が一連の撥水性シートにより一体的に構成されている。
【００９４】
［３−３］立体ギャザー：
本発明の吸収性物品は、図１Ａ及び図１Ｂに示す吸収性物品１Ａのように、撥水性シートからなり、吸収体２２の両側に配置された少なくとも一対の立体ギャザー２６を備えていることが好ましい。
【００９５】
立体ギャザーの構成は、従来の使い捨ておむつ、尿パッドに使用される構成を採用することができる。例えば、撥水性シートの層間に伸縮材（立体ギャザー伸縮材３６）を挟み込んで固定し（接着剤層３７）、その立体ギャザー伸縮材３６の収縮力によってギャザー（襞）を形成したもの等を好適に用いることができる。撥水性シートは、カードエンボス、スパンボンド等の製法により製造された不織布であってもよいが、防水性の高いＳＭＳ、ＳＭＭＳ等の不織布シートが更に好ましい。
【００９６】
なお、立体ギャザーは、立体ギャザー用の撥水性シートを別途付設してもよいし、吸収性物品を構成するシート材（例えば、サイドシート）の一部によって形成してもよい。
【００９７】
［３−４］各種伸縮材：
本発明の吸収性物品には、着用者の肌へのフィット性を向上させるために各種伸縮材を配置してもよい。
【００９８】
既に説明したように、吸収性物品が尿パッドである場合には、図２Ｄに示す吸収性物品１Ｂのように、両側縁部に股下部伸縮材４０を配置してもよい。この伸縮材を配置することによって、吸収性物品１Ｂの股下部相当部７４が前後方向に収縮し、股下部相当部７４をコンパクトな構造とすることができる。従って、使い捨ておむつの幅狭く形成された股下部にも確実に収めることができる。
【００９９】
伸縮材については、ギャザーの収縮の程度等を勘案した上で、構成材料、その材料の伸長率、固定時の伸長状態等を決定すればよい。
【０１００】
伸縮材としては、従来の使い捨ておむつや尿パッドで使用されてきた伸縮材を好適に用いることができる。具体的には、天然ゴムからなる平ゴムや合成ゴム（ウレタンゴム等）
の弾性糸からなる糸ゴムの他、伸縮性ネット、伸縮性フィルム、伸縮性フォーム（ウレタンフォーム等）等を挙げることができる。
【０１０１】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【０１０２】
前記のような伸縮材は、吸収性物品の他の構成部材に対して接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【０１０３】
［４］製造方法：
本発明の吸収性物品は、例えば、図４Ａ及び図４Ｂに示すように、表シート５８と、裏シート６０を構成する裏面不織布６１とによって吸収体２２を挟持し、吸収体２２の周縁を相互に貼り合わせてフラップ５０，５２を形成する。次に、この吸収体２２を挟持したシートの積層体の裏面側（即ち、裏面不織布６１が配置された側）に、裏面樹脂シート６２を配設し、更に、その裏面に、メカニカルファスナー３９からなるズレ止め手段３８を配設して、吸収性物品の中間体１００を形成する。
【０１０４】
ここで、図４Ａ及び図４Ｂは、図１Ａ〜図１Ｄに示す吸収性物品１Ａを製造する際の中間製品１００を示した図であり、図４Ａは、吸収性物品の中間製品を模式的に示す表面図であり、図４Ｂは、図４Ａに示す中間製品のＡ−Ａ’断面を模式的に示す断面図である。なお、図４Ａ及び図４Ｂにおいては、図１Ａ〜図１Ｃに示す吸収性物品１Ａの各要素と同様に構成されているものについては、同一の符号を付して説明を省略する。
【０１０５】
この中間製品１００の側縁フラップ５０を折り曲げ線９６を基準に表シート５８側に折り返して折り返し部５４を形成し、その折り返し部５４を表シート５８である立体ギャザー２６の表面に固定することにより、本発明の吸収性物品を得ることができる。折り返し部の固定は、例えば、接着剤による接着、超音波や加熱による融着等により行うことができる。
【０１０６】
なお、例えば、裏面樹脂シート６２が、フラップ５０，５２の折り返し部分に掛からない場合には、例えば、フラップ５０，５２を折り返した後に、裏面樹脂シート６２及びズレ止め手段３８を配設してもよい。
【０１０７】
また、吸収性物品の中間体１００を形成する際には、裏面不織布６１と裏面樹脂シート６２と予め積層して積層シートとして用いてもよい。また、ズレ止め手段３８については、フラップ５０，５２を折り返した後に配設してもよいし、また、裏面不織布６１に配設する前の裏面樹脂シート６２の所定の位置に予め配設してもよい。
【０１０８】
［５］吸収性物品包装体：
次に、本発明の吸収性物品包装体の実施の形態について説明する。本発明の吸収性物品包装体は、図５Ａ及び図５Ｂに示すように、これまでに説明した本発明の吸収性物品１Ａの複数個と、この複数個の吸収性物品１Ａを包装する包装袋１０２と、を備え、それぞれの吸収性物品１Ａは、表シート５８の少なくとも一部が内側となり、且つ、裏シート６０の裏面樹脂シート６２が外側に露出するように二つ折り以上に折り曲げられてなり、複数個の吸収性物品１Ａは、相互に重なり合うように積層された状態で、上記包装袋１０２の内部に収納されている。なお、図５Ａ及び図５Ｂにおいては、それぞれの吸収性物品１Ａが、その表シート５８が内側となるように二つ折り折り曲げられた場合の例を示しているが、例えば、図示は省略するが、裏シートの裏面樹脂シートが外側に露出するように折り曲げられる（折り畳まれる）のであれば、吸収性物品は、三つ折や四つ折等に折り曲げられていてもよい。
【０１０９】
このように構成することによって、包装袋から取り出す際に隣接して集積された吸収性物品１Ａ同士が、ズレ止め手段３８を介して結合されてしまうことがなく、吸収性物品１Ａを包装袋１０２から１つずつ確実に取り出すことができる。
【０１１０】
ここで、図５Ａは、本発明の吸収性物品包装体の一の実施形態を模式的に示す斜視図であり、図５Ｂは、図５Ａの吸収性物品包装体から、吸収性物品を取り出す状態を示す斜視図である。
【０１１１】
［５−１］吸収性物品：
本発明の吸収性物品包装体に用いられる吸収性物品は、これまでに説明した本発明の吸収性物品（例えば、図１Ａ〜図１Ｃに記載された吸収性物品１Ａ）と同様に構成された吸収性物品であり、表シート５８が内側となるように二つ折りに折り曲げられている。
【０１１２】
このような複数個の吸収性物品１Ａは、各吸収性物品１Ａが折り畳まれた状態で集積（積層）されており、包装袋に収納されている。この際、吸収性物品１Ａのズレ止め手段３８は、隣接する他の吸収性物品１Ａの裏面樹脂シート６２、或いは、片側の一端に配置された吸収性物品１Ａにおいては包装袋１０２と接するように配置されるため、吸収性物品１Ａ同士が相互にズレ止め手段３８を介して結合してしまうことを有効に防止することができる。
【０１１３】
なお、このように折り畳まれた吸収性物品１Ａは、包装袋１０２から取り出した状態で、下着やパンツ型の使い捨ておむつの内部に配置した場合、特に吸収性物品を開放する（即ち、折り畳み状態を解除して広げる）作業が不要となり、自然に広がって装着状態となるため、極めて簡便に使用することができる。
【０１１４】
なお、包装袋に収納される吸収性物品の個数については特に制限はなく、包装袋の大きさや、流通される形態に応じて適宜決定することができる。また、図５Ａ及び図５Ｂにおいては、折り畳まれた吸収性物品１Ａが一列（一段）に配置された場合の例を示しているが、例えば、一列に配置された吸収性物品１Ａが、更に、二段以上（即ち、縦横に二段以上）に配置された状態で包装袋の内部に収納されていてもよい。このように構成することによって、吸収性物品包装体の内部に収納する吸収性物品の個数を多くすることができる。
【０１１５】
また、折り畳まれた吸収性物品が圧縮されて包装袋に収納（包装）されたものであってもよい。吸収性物品を圧縮して収納することにより、包装袋に包装される吸収性物品の数を多くすることができる。従来の包装体においては、吸収性物品を圧縮して包装することにより、上述した吸収性物品同士の結合が顕著となっていた。本発明の吸収性物品包装体においては、裏面樹脂シートによって吸収性物品同士の結合が防止されているため、より多くの吸収性物品を包装袋に収納し、且つ、包装袋から吸収性物品１つずつ確実に取り出すことが可能となる。
【０１１６】
［５−２］包装袋：
本発明の吸収性物品包装体に用いられる包装袋は、従来公知の吸収性物品の包装体に用いられる包装体を好適に用いることができる。例えば、このような包装袋としては、両側縁を谷折りにしたガゼット構造を有する長尺チューブ状の包装フィルムを一定長さに切断して、両方の端縁が開口した包装袋の前駆体を得、その上端縁側の開口を封着して袋状（包装袋）としたものを用いることができる。このような包装袋は、その内部に被包装物（複数個の吸収性物品）を挿入し、下端縁側の開口を封着することによって、被包装物を包装することができる。
【０１１７】
このような包装袋を形成するための包装フィルムとしては、例えば、樹脂製のフィルムを好適に用いることができる。樹脂の種類については特に制限はなく、通常、包装用のフィルムに使用されるポリエチレン、ポリプロピレン等の樹脂を用いることができる。中でも、延伸性や強度の面で、ポリエチレン樹脂が好ましい。このような樹脂製のフィルムは、ズレ止め手段を構成するメカニカルファスナーとも係合しないため、集積された複数個の吸収性物品のうち、片側の一端に配置された吸収性物品のズレ止め手段と包装袋との係合も防止することができ、包装袋内に収納された全ての吸収性物品を簡単に取り出すことができる。
【０１１８】
また、本発明の吸収性物品包装体においては、包装袋の開口部が、吸収性物品の折り畳まれた山部側（折り目側）に配置されるように構成されたものであることが好ましい。このように構成することによって、吸収性物品の折り畳まれた山部側（折り目側）を持って包装袋の開口部から取り出すことができるため、吸収性物品を１つずつ容易に取り出すことができる。例えば、吸収性物品の両端部近傍にズレ止め手段が配置されている場合には、取り出す吸収性物品のズレ止め手段と、隣接して集積された吸収性物品とが擦れる距離（面積）が多くなってしまうが、裏面樹脂シートによりズレ止め手段との結合が防止されており、吸収性物品を良好に取り出すことができる。
【産業上の利用可能性】
【０１１９】
本発明の吸収性物品は、コンパクトな構造であることが求められる尿パッドとして利用することができる。また、本発明の吸収性物品包装体は、複数の吸収性物品が収納され、使用時において、１つずつ確実に吸収性物品を取り出すことが可能な包装体として好適に用いることができる。
【符号の説明】
【０１２０】
１Ａ，１Ｂ，１Ｃ：吸収性物品、２：前身頃、４：股下部、６：後身頃、１８：トップシート、１９：サイドシート、２２：吸収体、２６：立体ギャザー、３６：立体ギャザー伸縮材、３７：接着剤層、３８：ズレ止め手段、３９：メカニカルファスナー、４０：股下部伸縮材、５０：側縁フラップ、５２：端縁フラップ、５４：折り返し部、５６：側縁、５８：表シート、６０：裏シート、６１：裏面不織布、６２：裏面樹脂シート、６３：端縁、６４，６６，６８，７０：接着剤層、７２：前身頃相当部、７４：股下部相当部、７６：後身頃相当部、７８：側縁、８０：耳部、８２：側縁、８４：前身頃相当部、８６：股下部相当部、８８：後身頃相当部、９０：側縁、９２：耳部、９４：ヒートシール部、９６：折り曲げ線、１００：中間製品、１０１：吸収性物品包装体、１０２：包装袋。
【図１Ａ】
2011056162.tif 000003
【図１Ｂ】
2011056162.tif 000004
【図１Ｃ】
2011056162.tif 000005
【図２Ａ】
2011056162.tif 000006
【図２Ｂ】
2011056162.tif 000007
【図２Ｃ】
2011056162.tif 000008
【図２Ｄ】
2011056162.tif 000009
【図３Ａ】
2011056162.tif 000010
【図３Ｂ】
2011056162.tif 000011
【図３Ｃ】
2011056162.tif 000012
【図４Ａ】
2011056162.tif 000013
【図４Ｂ】
2011056162.tif 000014
【図５Ａ】
2011056162.tif 000015
【図５Ｂ】
2011056162.tif 000016